(57)【要約】      （修正有）【課題】平常時は平面に折り畳んでコンパクトに収納できると共に、非常災害時は浸水防止用の堤防としてや、避難住民の生活補給水の確保手段としても利用できる非常災害用の水嚢堤防袋を提供する。【解決手段】水嚢堤防袋１０は、ガセット面２５を形成して平面に折り畳むことができると共に、袋内に水量が充填される略直方体の防水シート袋２０において、該防水シート袋２０の前面２１および後面２２の上下両辺に水平ファスナー２６を配設すると共に、左右両辺に垂直ファスナー２７を配設し、防水シート袋２０の上面２３には給水口３０および空気抜き口３１を設けると共に、ガセット面２５の前面２１または後面２２に排水口３２を設けて成り、該水平ファスナー２６同士ならびに垂直ファスナー２７同士を連結していくことによって、所定の高さと長さを有する堤防Ｔが形成される手段を採る。【選択図】図１
2018178685.tif 000002
【特許請求の範囲】
【請求項１】
ガセット面を形成して平面に折り畳むことができると共に、袋内に水量が充填される略直方体の防水シート袋で形成される非常災害用水嚢堤防袋において、
前記防水シート袋の前面および後面の上下両辺に水平ファスナーを配設すると共に、左右両辺に垂直ファスナーを配設し、
前記防水シート袋の上面には給水口および空気抜き口を設けると共に、前記ガセット面の前面または後面に排水口を設けて成り、
前記水平ファスナー同士ならびに前記垂直ファスナー同士を連結していくことによって、所定の高さと長さを有する堤防が形成されることを特徴とする非常災害用水嚢堤防袋。
【請求項２】
前記垂直ファスナーが防水用のベロ付ファスナーによって形成されていることを特徴とする請求項１記載の非常災害用水嚢堤防袋。
【請求項３】
前記防水シート袋の前面および後面の上下両辺に略直方体の形状を維持する硬質の芯材を内設したことを特徴とする請求項１または請求項２記載の非常災害用水嚢堤防袋。
【請求項４】
前記防水シート袋の上面を構成する短手方向の両辺に折り畳み自在の取っ手部を設けたことを特徴とする請求項１〜請求項３の何れか記載の非常災害用水嚢堤防袋。
【発明の詳細な説明】
【技術分野】
【０００１】  本発明は、平常時は平面に折り畳んでコンパクトに収納できると共に、非常災害時は浸水防止用の堤防としてや、避難住民の生活補給水の確保手段としても利用できる非常災害用の水嚢堤防袋に関する。
【背景技術】
【０００２】  従来における河川などの氾濫による非常災害洪水対策工法としては、家屋の周りに土嚢を積み上げて増水の侵入を防いだり、土を詰めた土嚢を多数作成して堤防天端の上に河川に沿って積み上げていく積み土嚢工法や、堤防天端に河川に沿って木杭を打ち込み、これに板を渡して堰を構成し、その内側に土や土嚢を盛って越水を防ぐ堰板工法が用いられている。【０００３】  しかしながら、上記における積み土嚢式工法においては、膨大な人員資源を必要とする上、その人手による手間と時間を必要とするものであった。また、堰板工法においても重量のある木板など資材の運搬や堰を構築する作業に多大な人員ならびに手間と時間を必要とするものであり、実際にこれらの作業は大雨の中行わねばならず、多大な労力と困難が伴うと共に、増水が去った後は土嚢を破いて袋の中に充填されている大量の土を排出しなければならず、基本的に土嚢の袋は使い捨ての状態で廃棄されるため、経済的な廃棄コストがかかる上、資源の有効利用における環境上にも好ましくないものであった。【０００４】  そこで、従来の積み土嚢工法や堰板工法を簡単且つ軽量で耐久性を備えた越水防止装置を堤防の上に設置して河川の氾濫や洪水を防止することができる「越水防止設備および越水防止工法」（特許文献−１）が提案され、公知技術となっている。【０００５】  しかしながら、係る「越水防止設備および越水防止工法」の提案は、垂直方向に延在する壁で構成される枠体を複数連設した構成を有する１以上の越水防止装置を具え、河川や海岸の増水時に設置される越水防止設備において、各越水防止装置の端部に、連設される別の越水防止装置と連結するための、スライドファスナー、レールファスナー、ベルクロファスナー、スナップボタンのいずれかでなるファスナー部材が取り付けられていることによって、折り畳み式として平常時には自治体の倉庫などに小さく収納することができると共に、河川の増水時などに必要な場所に拡げて設置し、底シートの上に土砂や土嚢などを積載して使用することができる越水防止設備に関する提案であるが、該提案は、枠体内に土あるいは土壌若しくはその他の重量物を詰め込む構造であるため、事前に越水防止装置を備蓄しておくには大型の格納倉庫が必要とされると共に、災害発生時に緊急に準備するには大勢の人数を必要とするもので、洪水発生時における緊急対応手段としては時間的な事前対応が採れないといった問題があるものであった。【０００６】  また、内部に吸水ポリマーを入れた熱可塑性樹脂の通水性袋に、膨脹した時にブロック状となるようにガゼット部を形成した「土嚢」（特許文献−２）や、天然素材よりなる基布を袋状に縫製することにより形成された外袋と、不透水性の生分解性シートにより密閉構造の袋状に形成され、かつ外袋内に収容された内袋と、内袋内に収容された高吸水性高分子ポリマーよりなる高吸水材と、内袋内に水を注入する注水口と、注水口に設けられ、かつ内袋内の空気を排出する空気抜き孔とから構成した「土嚢」（特許文献−３）が提案され、公知技術となっている。【０００７】  しかしながら、係る「土嚢」の提案は、吸水ポリマーや高吸水性高分子ポリマーを通水性袋に入れて土嚢とするものであることから、いったん使用すると使い回しがができないため、経済性において問題があるものであった。【０００８】  また、作業時の土嚢の重さを比較的軽くして作業性が良好であり、積み上げ施工後の吸水した土嚢個々の十分な重量を確保することができる「土嚢及びそれに使用する土嚢袋」（特許文献−４）が提案され、公知技術となっている。【０００９】  しかしながら、係る「土嚢及びそれに使用する土嚢袋」の提案は、通水性を有する土嚢袋を備え、土嚢袋の少なくとも相対向する二箇所に把持部が設けられており、土嚢袋内部には粒状充填物が充填されており、粒状充填物は全部が所要の粒径を有するコンクリート破砕粒であるか、またはコンクリート破砕粒を含んでいる土嚢の提案であって、該提案は、土嚢袋の少なくとも相対向する二箇所に把持部が設けられることによって土嚢設置の作業性は改善されるが、事前に備蓄しておくには大型の倉庫が必要とされると共に、災害発生時に用意するには大勢の人数を必要とするもので、洪水発生における緊急対応手段としての時間的な対応が採れないといった問題があるものであった。【００１０】  また、台風やゲリラ豪雨による水害報道ニユースなどにおいて、地下鉄の入り口やビル等の地階に浸水を防ぐために多くの土嚢を積み上げている映像を頻繁に見かけるが、その中には過去に、ビルの地階が浸水状態になった時、取り残された人に気付かずにいたり、気付いたとしても入り口の扉が水圧で閉じ込められて開けることができず、命を奪われた死亡災害事故も少なくないことから、地下鉄やビルの入り口の形状に合わせた簡易構造の非常災害用の堤防の提供が望まれているものであった。【００１１】  本出願人は、以上のような従来の土嚢袋においての作業性、経済性、収納性、安全性の確保に加えて設置時の密封性に着目し、非常災害時においてそれらが瞬時に機能する堤防が提供できないものかという着想の下、平常時は平面に折り畳んでコンパクトに収納できると共に、非常災害時は浸水防止用の堤防としてや、避難住民の生活補給水の確保手段としても利用できる非常災害用の水嚢堤防袋を開発し、本発明における「非常災害用水嚢堤防袋」の提案に至るものである。
【先行技術文献】
【特許文献】
【００１２】
【特許文献１】特開２００８−３０３６６４号公報
【特許文献２】特開２００１−１３１９３７号公報
【特許文献３】特開２００５−２５６２７９号公報
【特許文献４】特開２００８−１３８５０３号公報
【発明の概要】
【発明が解決しようとする課題】
【００１３】  本発明は上記問題点を鑑み、平常時は平面に折り畳んでコンパクトに収納できると共に、非常災害時は浸水防止用の堤防としてや、避難住民の生活補給水の確保手段としても利用できる非常災害用の水嚢堤防袋の提供を図ることを課題とする。
【課題を解決するための手段】
【００１４】  本発明は上記課題を解決するためになされるもので、本発明における非常災害用水嚢堤防袋は、ガセット面を形成して平面に折り畳むことができると共に、袋内に水量が充填される略直方体の防水シート袋で形成される非常災害用水嚢堤防袋において、前記防水シート袋の前面および後面の上下両辺に水平ファスナーを配設すると共に、左右両辺に垂直ファスナーを配設し、前記防水シート袋の上面には給水口および空気抜き口を設けると共に、前記ガセット面の前面または後面に排水口を設けて成り、前記水平ファスナー同士ならびに前記垂直ファスナー同士を連結していくことによって、所定の高さと長さを有する堤防が形成される手段を採る。【００１５】  また、本発明における非常災害用水嚢堤防袋は、前記垂直ファスナーが防水用のベロ付ファスナーによって形成されている手段を採る。【００１６】  また、本発明における非常災害用水嚢堤防袋は、前記防水シート袋の前面および後面の上下両辺に略直方体の形状を維持する硬質の芯材を内設した手段を採る。【００１７】  また、本発明における非常災害用水嚢堤防袋は、前記防水シート袋の上面を構成する短手方向の両辺に折り畳み自在の取っ手部を設けた手段を採る。
【発明の効果】
【００１８】  本発明の非常災害用水嚢堤防袋によれば、水平ファスナーならびに垂直ファスナー同士を連結していくことによって、所定の高さと長さを有する堤防が形成されることで、非常災害時の浸水状況に合わせた堤防を瞬時に築くことができるといった優れた効果を奏する。【００１９】  また、本発明の非常災害用水嚢堤防袋によれば、防水シート袋がガセット面を形成して平面に折り畳むことができることによって、収納時においてコンパクトに収納することができるといった優れた効果を奏する。【００２０】  また、本発明の非常災害用水嚢堤防袋によれば、防水シート袋内に水量を充填して水嚢堤防袋とする手段を採用していることで、大量の非常災害用水嚢堤防袋の運搬を容易とすると共に、避難住民の生活補給水の確保手段としても利用することができ、さらに使用後は非常災害用水嚢堤防袋の再利用を可能にするといった優れた効果を奏する。【００２１】  また、本発明の非常災害用水嚢堤防袋によれば、垂直ファスナーが防水用のベロ付ファスナーによって形成されていることによって、防水シート袋に充填される水量によって防水シート袋間に隙間が生じないことから、その隙間からの洪水の侵入を防ぐことができるといった優れた効果を奏する。【００２２】  また、本発明の非常災害用水嚢堤防袋によれば、防水シート袋の前面および後面の上下両辺に略直方体の形状を維持する硬質の芯材を内設することによって、水量が充填される防水シート袋の形状変形を防ぐことができることから、敷設される堤防の補強強度を増すことができるといった優れた効果を奏する。【００２３】  また、本発明の非常災害用水嚢堤防袋によれば、防水シート袋の上面を構成する短手方向の両辺に折り畳み自在の取っ手部を設けたことによって、平常時は平面的にコンパクトに折り畳んで収納でき、非常災害時は重量のある防水シート袋を両手で容易に持ち運びができるといった優れた効果を奏する。【００２４】  また、本発明の非常災害用水嚢堤防袋によれば、大都会における台風やゲリラ豪雨対策として、ビル内の倉庫にコンパクトに収納することができる上、エレベーターや非常階段を利用して大量の運搬を容易とし、さらに地下鉄やビルの入り口の形状に合わせた簡易構造の堤防を瞬時に敷設することができるといった優れた効果を奏する。
【図面の簡単な説明】
【００２５】
【図１】本発明の非常災害用水嚢堤防袋における実施形態を示す説明図である。（実施例１）
【図２】本発明の非常災害用水嚢堤防袋におけるその他の実施形態を示す説明図である。（実施例２）
【図３】本発明の非常災害用水嚢堤防袋におけるその他の実施形態を示す説明図である。（実施例３）
【図４】本発明の非常災害用水嚢堤防袋におけるその他の実施形態を示す説明図である。（実施例４）
【００２６】  本発明における非常災害用水嚢堤防袋１０は、ガセット面２５を形成して平面に折り畳むことができると共に、袋内に水量Ｗが充填される略直方体の防水シート袋２０で形成される非常災害用水嚢堤防袋１０において、防水シート袋２０の前面２１および後面２２の上下両辺に水平ファスナー２６を配設すると共に、左右両辺に垂直ファスナー２７を配設し、防水シート袋２０の上面２３には給水口３０および空気抜き口３１を設けると共に、ガセット面２５の前面２１または後面２２に排水口３２を設けて成り、水平ファスナー２６同士ならびに垂直ファスナー２７同士を連結していくことによって、所定の高さと長さを有する堤防Ｔが形成される手段を採ったことを最大の特徴とする。以下、本発明の実施形態を図面に基づいて説明する。【００２７】  尚、本発明の非常災害用水嚢堤防袋１０は、以下に述べる実施例に限定されるものではなく、本発明の技術的思想の範囲内、すなわち同一の作用効果を発揮できる形状及び寸法の範囲内で適宜変更することができる。
【実施例１】
【００２８】  図１は、本発明の非常災害用水嚢堤防袋における実施形態を示す説明図である。
図１（ａ）は本発明の非常災害用水嚢堤防袋における実施形態を示す全体斜視図である。
本発明の非常災害用水嚢堤防袋１０は、防水シート袋２０の前面２１および後面２２の上下両辺に水平ファスナー２６を配設すると共に、左右両辺に垂直ファスナー２７を配設し、防水シート袋２０の上面２３には給水口３０および空気抜き口３１を設けると共に、ガセット面２５の前面または後面に排水口３２を設けて形成される。【００２９】  防水シート袋２０は、ボートやテントに使用される防水性のシート素材を用いてガセット面２５を有する略直方体の袋状に形成して平面に折り畳むことができると共に、袋内に水量Ｗが充填される形状に形成される。【００３０】  水平ファスナー２６は、防水シート袋２０の前面２１および後面２２の上下両辺に配設され、上下に積層される防水シート袋２０を連結する役目を果たす。【００３１】  垂直ファスナー２７は、防水シート袋２０の左右両辺に配設され、帯状に連結される防水シート袋２０を連結する役目を果たす。【００３２】  ガセット面２５は、防水シート袋２０の前面２１および後面２２ならびに両側面に形成され，使用しないときは平面に折り畳んで収納することができる。【００３３】  給水口３０は、止水キャップを備える開口部を形成し、防水シート袋２０の上面２３に設けられ、ボックスシート袋３３内に充填されている水量Ｗの設置時の充填作業に使用される。【００３４】  空気抜き口３１は、止水キャップを備える開口部を形成し、防水シート袋２０の上面２３に設けられ、ボックスシート袋３３内に充填されている水量Ｗの設置時の充填作業と撤去時の水抜き作業に使用される。【００３５】  排水口３２は、止水キャップを備える開口部を形成し、防水シート袋２０のガセット面２５の前面２１または後面２２の下方に設けられ、ボックスシート袋３３内に充填されている水量Ｗの撤去時の水抜き作業に使用される。【００３６】  水量Ｗは、緊急災害時においては防水シート袋２０内に充填され、平常時は防水シート袋２０内から水抜きされ、さらに避難住民の生活補給水の確保手段としても利用することができる。【００３７】  図１（ｂ）は本発明の非常災害用水嚢堤防１０袋における収納状態を示す説明図である。
非常災害用水嚢堤防袋１０を真空収納することができるボックスシート袋３３を圧縮収納することで収納スペースの省力化と、災害現地への運搬ならびに移動を容易にすることができる。【００３８】  図１（ｃ）は本発明の非常災害用水嚢堤防袋１０における水平ファスナー２６による連結状態を示す側面図である。
非常災害用水嚢堤防袋１０を水平ファスナー２６によって積み上げて連結することで任意の高さの堤防Ｔを築くことができる。また非常災害用水嚢堤防袋１０同士の隙間を水平ファスナー２６によって連結することで堤防Ｔ内への洪水の流入を防ぐことができる。【００３９】  図１（ｄ）は本発明の非常災害用水嚢堤防袋１０における垂直ファスナー２７による連結状態を示す上面図である。
非常災害用水嚢堤防袋１０を垂直ファスナー２７によって帯状に連結することで任意の長さの堤防Ｔを築くことができる。また非常災害用水嚢堤防袋１０を垂直ファスナー２７によって連結することで堤防Ｔ内の非常災害用水嚢堤防袋１０同士のずれ込みを防止することができる。【００４０】  以上で構成される本発明の非常災害用水嚢堤防袋１０は、水平ファスナー２６と垂直ファスナー２７によって所定の高さと長さを有する堤防Ｔが形成されることによって、非常災害時の状況に合わせた堤防Ｔを瞬時に築くことができると共に、防水シート袋２０がガセット面２５を形成して平面に折り畳むことができることによって、収納時においてコンパクトに収納することができさらに、防水シート袋２０内に水量Ｗを充填して水嚢堤防袋とする手段を採用していることで、大量の水嚢堤防袋の運搬を容易にし、使用後は水嚢堤防袋の再利用ができる非常災害用水嚢堤防袋１０の提供を可能にする。
【実施例２】
【００４１】  図２は、本発明の非常災害用水嚢堤防袋におけるその他の実施形態を示す説明図である。
図２（ａ）は本発明の非常災害用水嚢堤防袋１０における実施形態を示す全体斜視図である。
本発明の非常災害用水嚢堤防袋１０は、垂直ファスナー２７を高い防水性を有するベロ付ファスナー２７ａとすることができる。【００４２】  図２（ｂ）は本発明の非常災害用水嚢堤防袋１０におけるベロ付ファスナー２７ａを示す一部拡大説明図である。
ベロ付ファスナー２７ａは、通常のファスナーの内側に密封性を目的としたベロ（舌片帯）が設けられるもので、例えば、ズボンの前面に設けられるファスナー部に見られるような形状で縫い付けられる。【００４３】  以上で構成される本発明の非常災害用水嚢堤防袋１０は、垂直ファスナー２７が防水用のベロ付ファスナー２７ａで形成されることによって、防水シート袋２０間の隙間からの洪水の侵入を防ぐことができる非常災害用水嚢堤防袋１０の提供を可能にする。
【実施例３】
【００４４】  図３は、本発明の非常災害用水嚢堤防袋におけるその他の実施形態を示す説明図である。
図３（ａ）は本発明の非常災害用水嚢堤防袋１０における実施形態を示す全体斜視図である。
本発明の非常災害用水嚢堤防袋１０は、防水シート袋２０の前面２１および後面２２の上下両辺に略直方体の形状を維持する硬質の芯材２８を内設することができる。【００４５】  図３（ｂ）は本発明の非常災害用水嚢堤防袋１０における芯材２８を示す断面図である。
芯材２８は、一定の硬さを有する合成樹脂製および金属製の棒状または板状に形成され、防水シート袋２０の設置時の形状変形を防ぐ目的で防水シート袋２０内に配設される。【００４６】  以上で構成される本発明の非常災害用水嚢堤防袋１０は、防水シート袋２０の前面２１および後面２２の上下両辺に略直方体の形状を維持する硬質の芯材２８を内設することによって、水量Ｗが充填される防水シート袋２０の形状変形を防ぐことで設置時の堤防Ｔの補強強度を増すことができる非常災害用水嚢堤防袋１０の提供を可能にする。
【実施例４】
【００４７】  図４は、本発明の非常災害用水嚢堤防袋におけるその他の実施形態を示す説明図である。
図４（ａ）は本発明の非常災害用水嚢堤防袋１０における実施形態を示す全体斜視図である。
本発明の非常災害用水嚢堤防袋１０は、防水シート袋２０の上面２３を構成する短手方向の両辺に折り畳み自在の取っ手部２９を設けることができる。【００４８】  図４（ｂ）は本発明の非常災害用水嚢堤防袋１０における折り畳み状態を示す全体斜視図である。
取っ手部２９は、防水シート袋２０の一端を延長して両手で持ち上げられる手提げ形状に折り畳み自在に設けられる。【００４９】  以上で構成される本発明の非常災害用水嚢堤防袋１０は、水嚢堤防袋の上面２３を構成する短手方向の両辺に折り畳み自在の取っ手部２９が設けられることによって、平常時は平面的に折り畳んでコンパクトに収納でき、非常災害時は重量のある防水シート袋２０を両手で容易に持ち運びができる非常災害用水嚢堤防袋１０の提供を可能にする。
【産業上の利用可能性】
【００５０】  本発明の非常災害用水嚢堤防袋は、平常時は平面に折り畳んでコンパクトに収納できると共に、非常災害時は浸水防止用の堤防として瞬時に利用できる水嚢堤防袋としてや、避難住民の生活補給水の確保手段としても利用できることから、本発明の「非常災害用水嚢堤防袋」の産業上の利用可能性は極めて大であるものと思料する。
【符号の説明】
【００５１】１０  非常災害用水嚢堤防袋
２０  防水シート袋
２１  前面
２２  後面
２３  上面
２４  下面
２５  ガセット面
２６  水平ファスナー
２７  垂直ファスナー
２７ａベロ付ファスナー
２８  芯材
２９  取っ手部
３０  給水口
３１  空気抜き口
３２  排水口
３３  ボックスシート袋
Ｗ  水量
Ｔ  堤防
【図１】
2018178685.tif 000003
【図２】
2018178685.tif 000004
【図３】
2018178685.tif 000005
【図４】
2018178685.tif 000006
【手続補正書】
【提出日】平成29年7月6日(2017.7.6)
【手続補正１】
【補正対象書類名】特許請求の範囲
【補正対象項目名】全文
【補正方法】変更
【補正の内容】
【特許請求の範囲】
【請求項１】
ガセット面を形成して平面に折り畳むことができると共に、袋内に水量が充填される略直方体の防水シート袋で形成される非常災害用水嚢堤防袋において、
前記防水シート袋の前面および後面の上下両辺には水平ファスナーを配設すると共に、左右両辺に垂直ファスナーを配設し、さらに前記防水シート袋の前面および後面の上下両辺には略直方体の形状を維持する硬質の芯材を内設して成り、
前記防水シート袋の上面には給水口および空気抜き口を設けると共に、前記ガセット面の前面または後面に排水口を設けて成り、
前記水平ファスナー同士ならびに前記垂直ファスナー同士を連結していくことによって、所定の高さと長さを有する堤防が形成されることを特徴とする非常災害用水嚢堤防袋。
【請求項２】
前記垂直ファスナーが防水用のベロ付ファスナーによって形成されていることを特徴とする請求項１記載の非常災害用水嚢堤防袋。
【請求項３】
前記防水シート袋の上面を構成する短手方向の両辺に折り畳み自在の取っ手部を設けたことを特徴とする請求項１または請求項２記載の非常災害用水嚢堤防袋。
【手続補正２】
【補正対象書類名】明細書
【補正対象項目名】全文
【補正方法】変更
【補正の内容】
【発明の詳細な説明】
【技術分野】
【０００１】
本発明は、平常時は平面に折り畳んでコンパクトに収納できると共に、非常災害時は浸水防止用の堤防としてや、避難住民の生活補給水の確保手段としても利用できる非常災害用の水嚢堤防袋に関する。
【背景技術】
【０００２】
従来における河川などの氾濫による非常災害洪水対策工法としては、家屋の周りに土嚢を積み上げて増水の侵入を防いだり、土を詰めた土嚢を多数作成して堤防天端の上に河川に沿って積み上げていく積み土嚢工法や、堤防天端に河川に沿って木杭を打ち込み、これに板を渡して堰を構成し、その内側に土や土嚢を盛って越水を防ぐ堰板工法が用いられている。
【０００３】
しかしながら、上記における積み土嚢式工法においては、膨大な人員資源を必要とする上、その人手による手間と時間を必要とするものであった。また、堰板工法においても重量のある木板など資材の運搬や堰を構築する作業に多大な人員ならびに手間と時間を必要とするものであり、実際にこれらの作業は大雨の中行わねばならず、多大な労力と困難が伴うと共に、増水が去った後は土嚢を破いて袋の中に充填されている大量の土を排出しなければならず、基本的に土嚢の袋は使い捨ての状態で廃棄されるため、経済的な廃棄コストがかかる上、資源の有効利用における環境上にも好ましくないものであった。
【０００４】
そこで、従来の積み土嚢工法や堰板工法を簡単且つ軽量で耐久性を備えた越水防止装置を堤防の上に設置して河川の氾濫や洪水を防止することができる「越水防止設備および越水防止工法」（特許文献-1）が提案され、公知技術となっている。
【０００５】
しかしながら、係る「越水防止設備および越水防止工法」の提案は、垂直方向に延在する壁で構成される枠体を複数連設した構成を有する１以上の越水防止装置を具え、河川や海岸の増水時に設置される越水防止設備において、各越水防止装置の端部に、連設される別の越水防止装置と連結するための、スライドファスナー、レールファスナー、ベルクロ（登録商標）ファスナー、スナップボタンのいずれかでなるファスナー部材が取り付けられていることによって、折り畳み式として平常時には自治体の倉庫などに小さく収納することができると共に、河川の増水時などに必要な場所に拡げて設置し、底シートの上に土砂や土嚢などを積載して使用することができる越水防止設備に関する提案であるが、該提案は、枠体内に土あるいは土壌若しくはその他の重量物を詰め込む構造であるため、事前に越水防止装置を備蓄しておくには大型の格納倉庫が必要とされると共に、災害発生時に緊急に準備するには大勢の人数を必要とするもので、洪水発生時における緊急対応手段としては時間的な事前対応が採れないといった問題があるものであった。
【０００６】
また、内部に吸水ポリマーを入れた熱可塑性樹脂の通水性袋に、膨脹した時にブロック状となるようにガゼット部を形成した「土嚢」（特許文献-２）や、天然素材よりなる基布を袋状に縫製することにより形成された外袋と、不透水性の生分解性シートにより密閉構造の袋状に形成され、かつ外袋内に収容された内袋と、内袋内に収容された高吸水性高分子ポリマーよりなる高吸水材と、内袋内に水を注入する注水口と、注水口に設けられ、かつ内袋内の空気を排出する空気抜き孔とから構成した「土嚢」（特許文献-３）が提案され、公知技術となっている。
【０００７】
しかしながら、係る「土嚢」の提案は、吸水ポリマーや高吸水性高分子ポリマーを通水性袋に入れて土嚢とするものであることから、いったん使用すると使い回しがができないため、経済性において問題があるものであった。
【０００８】
また、作業時の土嚢の重さを比較的軽くして作業性が良好であり、積み上げ施工後の吸水した土嚢個々の十分な重量を確保することができる「土嚢及びそれに使用する土嚢袋」（特許文献-４）が提案され、公知技術となっている。
【０００９】
しかしながら、係る「土嚢及びそれに使用する土嚢袋」の提案は、通水性を有する土嚢袋を備え、土嚢袋の少なくとも相対向する二箇所に把持部が設けられており、土嚢袋内部には粒状充填物が充填されており、粒状充填物は全部が所要の粒径を有するコンクリート破砕粒であるか、またはコンクリート破砕粒を含んでいる土嚢の提案であって、該提案は、土嚢袋の少なくとも相対向する二箇所に把持部が設けられることによって土嚢設置の作業性は改善されるが、事前に備蓄しておくには大型の倉庫が必要とされると共に、災害発生時に用意するには大勢の人数を必要とするもので、洪水発生における緊急対応手段としての時間的な対応が採れないといった問題があるものであった。
【００１０】
また、台風やゲリラ豪雨による水害報道ニユースなどにおいて、地下鉄の入り口やビル等の地階に浸水を防ぐために多くの土嚢を積み上げている映像を頻繁に見かけるが、その中には過去に、ビルの地階が浸水状態になった時、取り残された人に気付かずにいたり、気付いたとしても入り口の扉が水圧で閉じ込められて開けることができず、命を奪われた死亡災害事故も少なくないことから、地下鉄やビルの入り口の形状に合わせた簡易構造の非常災害用の堤防の提供が望まれているものであった。
【００１１】
本出願人は、以上のような従来の土嚢袋においての作業性、経済性、収納性、安全性の確保に加えて設置時の密封性に着目し、非常災害時においてそれらが瞬時に機能する堤防が提供できないものかという着想の下、平常時は平面に折り畳んでコンパクトに収納できると共に、非常災害時は浸水防止用の堤防としてや、避難住民の生活補給水の確保手段としても利用できる非常災害用の水嚢堤防袋を開発し、本発明における「非常災害用水嚢堤防袋」の提案に至るものである。
【先行技術文献】
【特許文献】
【００１２】
【特許文献１】特開２００８−３０３６６４号公報
【特許文献２】特開２００１−１３１９３７号公報
【特許文献３】特開２００５−２５６２７９号公報
【特許文献４】特開２００８−１３８５０３号公報
【発明の概要】
【発明が解決しようとする課題】
【００１３】
本発明は上記問題点を鑑み、平常時は平面に折り畳んでコンパクトに収納できると共に、非常災害時は浸水防止用の堤防としてや、避難住民の生活補給水の確保手段としても利用できる非常災害用の水嚢堤防袋の提供を図ることを課題とする。
【課題を解決するための手段】
【００１４】
本発明は、上記課題を解決するためになされるもので、本発明における非常災害用水嚢堤防袋は、ガセット面を形成して平面に折り畳むことができると共に、袋内に水量が充填される略直方体の防水シート袋で形成される非常災害用水嚢堤防袋において、前記防水シート袋の前面および後面の上下両辺には水平ファスナーを配設すると共に、左右両辺に垂直ファスナーを配設し、さらに前記防水シート袋の前面および後面の上下両辺には略直方体の形状を維持する硬質の芯材を内設して成り、前記防水シート袋の上面には給水口および空気抜き口を設けると共に、前記ガセット面の前面または後面に排水口を設けて成り、前記水平ファスナー同士ならびに前記垂直ファスナー同士を連結していくことによって、所定の高さと長さを有する堤防が形成される手段を採る。
【００１５】
また、本発明における非常災害用水嚢堤防袋は、前記垂直ファスナーが防水用のベロ付ファスナーによって形成されている手段を採る。
【００１６】
また、本発明における非常災害用水嚢堤防袋は、前記防水シート袋の上面を構成する短手方向の両辺に折り畳み自在の取っ手部を設けた手段を採る。
【発明の効果】
【００１７】
本発明の非常災害用水嚢堤防袋によれば、水平ファスナーならびに垂直ファスナー同士を連結していくことによって、所定の高さと長さを有する堤防が形成されることで、非常災害時の浸水状況に合わせた堤防を瞬時に築くことができるといった優れた効果を奏する。
【００１８】
また、本発明の非常災害用水嚢堤防袋によれば、防水シート袋がガセット面を形成して平面に折り畳むことができることによって、収納時においてコンパクトに収納することができるといった優れた効果を奏する。
【００１９】
また、本発明の非常災害用水嚢堤防袋によれば、防水シート袋内に水量を充填して水嚢堤防袋とする手段を採用していることで、大量の非常災害用水嚢堤防袋の運搬を容易とすると共に、避難住民の生活補給水の確保手段としても利用することができ、さらに使用後は非常災害用水嚢堤防袋の再利用を可能にするといった優れた効果を奏する。
【００２０】
また、本発明の非常災害用水嚢堤防袋によれば、垂直ファスナーが防水用のベロ付ファスナーによって形成されていることによって、防水シート袋に充填される水量によって防水シート袋間に隙間が生じないことから、その隙間からの洪水の侵入を防ぐことができるといった優れた効果を奏する。
【００２１】
また、本発明の非常災害用水嚢堤防袋によれば、防水シート袋の前面および後面の上下両辺に略直方体の形状を維持する硬質の芯材を内設することによって、水量が充填される防水シート袋の形状変形を防ぐことができることから、敷設される堤防の補強強度を増すことができるといった優れた効果を奏する。
【００２２】
また、本発明の非常災害用水嚢堤防袋によれば、防水シート袋の上面を構成する短手方向の両辺に折り畳み自在の取っ手部を設けたことによって、平常時は平面的にコンパクトに折り畳んで収納でき、非常災害時は重量のある防水シート袋を両手で容易に持ち運びができるといった優れた効果を奏する。
【００２３】
また、本発明の非常災害用水嚢堤防袋によれば、大都会における台風やゲリラ豪雨対策として、ビル内の倉庫にコンパクトに収納することができる上、エレベーターや非常階段を利用して大量の運搬を容易とし、さらに地下鉄やビルの入り口の形状に合わせた簡易構造の堤防を瞬時に敷設することができるといった優れた効果を奏する。
【図面の簡単な説明】
【００２４】
【図１】本発明の非常災害用水嚢堤防袋における実施形態を示す説明図である。（実施例１）
【図２】本発明の非常災害用水嚢堤防袋におけるその他の実施形態を示す説明図である。（実施例２）
【図３】本発明の非常災害用水嚢堤防袋における実施形態を示す説明図である。
【図４】本発明の非常災害用水嚢堤防袋におけるその他の実施形態を示す説明図である。（実施例３）
【００２５】
本発明における非常災害用水嚢堤防袋１０は、ガセット面２５を形成して平面に折り畳むことができると共に、袋内に水量Ｗが充填される略直方体の防水シート袋２０で形成される非常災害用水嚢堤防袋１０において、防水シート袋２０の前面２１および後面２２の上下両辺には水平ファスナー２６を配設すると共に、左右両辺に垂直ファスナー２７を配設し、さらに防水シート袋２０の前面および後面の上下両辺には略直方体の形状を維持する硬質の芯材２８を内設して成り、防水シート袋２０の上面２３には給水口３０および空気抜き口３１を設けると共に、ガセット面２５の前面２１または後面２２に排水口３２を設けて成り、水平ファスナー２６同士ならびに垂直ファスナー２７同士を連結していくことによって、所定の高さと長さを有する堤防Ｔが形成される手段を採ったことを最大の特徴とする。以下、本発明の実施形態を図面に基づいて説明する。
【００２６】
尚、本発明の非常災害用水嚢堤防袋１０は、以下に述べる実施例に限定されるものではなく、本発明の技術的思想の範囲内、すなわち同一の作用効果を発揮できる形状及び寸法の範囲内で適宜変更することができる。
【実施例１】
【００２７】
図1は、本発明の非常災害用水嚢堤防袋における実施形態を示す説明図である。
図1（a）は本発明の非常災害用水嚢堤防袋における実施形態を示す全体斜視図である。
本発明の非常災害用水嚢堤防袋１０は、防水シート袋２０の前面２１および後面２２の上下両辺に水平ファスナー２６を配設すると共に、左右両辺に垂直ファスナー２７を配設し、防水シート袋２０の上面２３には給水口３０および空気抜き口３１を設けると共に、ガセット面２５の前面または後面に排水口３２を設けて形成される。
【００２８】
防水シート袋２０は、ボートやテントに使用される防水性のシート素材を用いてガセット面２５を有する略直方体の袋状に形成して平面に折り畳むことができると共に、袋内に水量Ｗが充填される形状に形成される。
【００２９】
水平ファスナー２６は、防水シート袋２０の前面２１および後面２２の上下両辺に配設され、上下に積層される防水シート袋２０を連結する役目を果たす。
【００３０】
垂直ファスナー２７は、防水シート袋２０の左右両辺に配設され、帯状に連結される防水シート袋２０を連結する役目を果たす。
【００３１】
ガセット面２５は、防水シート袋２０の前面２１および後面２２ならびに両側面に形成され，使用しないときは平面に折り畳んで収納することができる。
【００３２】
給水口３０は、止水キャップを備える開口部を形成し、防水シート袋２０の上面２３に設けられ、ボックスシート袋３３内に充填されている水量Ｗの設置時の充填作業に使用される。
【００３３】
空気抜き口３１は、止水キャップを備える開口部を形成し、防水シート袋２０の上面２３に設けられ、ボックスシート袋３３内に充填されている水量Ｗの設置時の充填作業と撤去時の水抜き作業に使用される。
【００３４】
排水口３２は、止水キャップを備える開口部を形成し、防水シート袋２０のガセット面２５の前面２１または後面２２の下方に設けられ、ボックスシート袋３３内に充填されている水量Ｗの撤去時の水抜き作業に使用される。
【００３５】
水量Ｗは、緊急災害時においては防水シート袋２０内に充填され、平常時は防水シート袋２０内から水抜きされ、さらに避難住民の生活補給水の確保手段としても利用することができる。
【００３６】
図1（b）は本発明の非常災害用水嚢堤防１０袋における収納状態を示す説明図である。
非常災害用水嚢堤防袋１０を真空収納することができるボックスシート袋３３を圧縮収納することで収納スペースの省力化と、災害現地への運搬ならびに移動を容易にすることができる。
【００３７】
図1（c）は本発明の非常災害用水嚢堤防袋１０における水平ファスナー２６による連結状態を示す側面図である。
非常災害用水嚢堤防袋１０を水平ファスナー２６によって積み上げて連結することで任意の高さの堤防Ｔを築くことができる。また非常災害用水嚢堤防袋１０同士の隙間を水平ファスナー２６によって連結することで堤防Ｔ内への洪水の流入を防ぐことができる。
【００３８】
図1（d）は本発明の非常災害用水嚢堤防袋１０における垂直ファスナー２７による連結状態を示す上面図である。
非常災害用水嚢堤防袋１０を垂直ファスナー２７によって帯状に連結することで任意の長さの堤防Ｔを築くことができる。また非常災害用水嚢堤防袋１０を垂直ファスナー２７によって連結することで堤防Ｔ内の非常災害用水嚢堤防袋１０同士のずれ込みを防止することができる。
【００３９】
以上で構成される本発明の非常災害用水嚢堤防袋１０は、水平ファスナー２６と垂直ファスナー２７によって所定の高さと長さを有する堤防Ｔが形成されることによって、非常災害時の状況に合わせた堤防Ｔを瞬時に築くことができると共に、防水シート袋２０がガセット面２５を形成して平面に折り畳むことができることによって、収納時においてコンパクトに収納することができさらに、防水シート袋２０内に水量Ｗを充填して水嚢堤防袋とする手段を採用していることで、大量の水嚢堤防袋の運搬を容易にし、使用後は水嚢堤防袋の再利用ができる非常災害用水嚢堤防袋１０の提供を可能にする。
【実施例２】
【００４０】
図２は、本発明の非常災害用水嚢堤防袋におけるその他の実施形態を示す説明図である。
図２（a）は本発明の非常災害用水嚢堤防袋１０における実施形態を示す全体斜視図である。
本発明の非常災害用水嚢堤防袋１０は、垂直ファスナー２７を高い防水性を有するベロ付ファスナー２７aとすることができる。
【００４１】
図２（b）は本発明の非常災害用水嚢堤防袋１０におけるベロ付ファスナー２７aを示す一部拡大説明図である。
ベロ付ファスナー２７aは、通常のファスナーの内側に密封性を目的としたベロ（舌片帯）が設けられるもので、例えば、ズボンの前面に設けられるファスナー部に見られるような形状で縫い付けられる。
【００４２】
以上で構成される本発明の非常災害用水嚢堤防袋１０は、垂直ファスナー２７が防水用のベロ付ファスナー２７aで形成されることによって、防水シート袋２０間の隙間からの洪水の侵入を防ぐことができる非常災害用水嚢堤防袋１０の提供を可能にする。
【００４３】
図３は、本発明の非常災害用水嚢堤防袋における実施形態を示す説明図である。
図３（a）は本発明の非常災害用水嚢堤防袋１０における実施形態を示す全体斜視図である。
本発明の非常災害用水嚢堤防袋１０は、防水シート袋２０の前面２１および後面２２の上下両辺に略直方体の形状を維持する硬質の芯材２８を内設することができる。
【００４４】
図３（b）は本発明の非常災害用水嚢堤防袋１０における芯材２８を示す断面図である。
芯材２８は、一定の硬さを有する合成樹脂製および金属製の棒状または板状に形成され、防水シート袋２０の設置時の形状変形を防ぐ目的で防水シート袋２０内に配設される。
【００４５】
以上で構成される本発明の非常災害用水嚢堤防袋１０は、防水シート袋２０の前面２１および後面２２の上下両辺に略直方体の形状を維持する硬質の芯材２８を内設することによって、水量Ｗが充填される防水シート袋２０の形状変形を防ぐことで設置時の堤防Ｔの補強強度を増すことができる非常災害用水嚢堤防袋１０の提供を可能にする。
【実施例３】
【００４６】
図４は、本発明の非常災害用水嚢堤防袋におけるその他の実施形態を示す説明図である。
図４（a）は本発明の非常災害用水嚢堤防袋１０における実施形態を示す全体斜視図である。
本発明の非常災害用水嚢堤防袋１０は、防水シート袋２０の上面２３を構成する短手方向の両辺に折り畳み自在の取っ手部２９を設けることができる。
【００４７】
図４（b）は本発明の非常災害用水嚢堤防袋１０における折り畳み状態を示す全体斜視図である。
取っ手部２９は、防水シート袋２０の一端を延長して両手で持ち上げられる手提げ形状に折り畳み自在に設けられる。
【００４８】
以上で構成される本発明の非常災害用水嚢堤防袋１０は、水嚢堤防袋の上面２３を構成する短手方向の両辺に折り畳み自在の取っ手部２９が設けられることによって、平常時は平面的に折り畳んでコンパクトに収納でき、非常災害時は重量のある防水シート袋２０を両手で容易に持ち運びができる非常災害用水嚢堤防袋１０の提供を可能にする。
【産業上の利用可能性】
【００４９】
本発明の非常災害用水嚢堤防袋は、平常時は平面に折り畳んでコンパクトに収納できると共に、非常災害時は浸水防止用の堤防として瞬時に利用できる水嚢堤防袋としてや、避難住民の生活補給水の確保手段としても利用できることから、本発明の「非常災害用水嚢堤防袋」の産業上の利用可能性は極めて大であるものと思料する。
【符号の説明】
【００５０】
１０  非常災害用水嚢堤防袋
２０  防水シート袋
２１  前面
２２  後面
２３  上面
２４  下面
２５  ガセット面
２６  水平ファスナー
２７  垂直ファスナー
２７a ベロ付ファスナー
２８  芯材
２９  取っ手部
３０  給水口
３１  空気抜き口
３２  排水口
３３  ボックスシート袋
Ｗ  水量
Ｔ  堤防